(57)【要約】【課題】植物栽培の経験が少なくても植物栽培に取り組むことができ、しかも資金面問題も解消し得る、植物栽培システムを提供する。【解決手段】遠赤外線放射物質間での遠赤外線の放射・吸収現象を利用した農法（「ＫＦＴ」農法）を導入する植物栽培者に、ＫＦＴ農法技術を供与することを含む、ＫＦＴ農法による植物栽培システムにおいて、栽培する植物の栽培条件データを入力する入力手段；栽培条件データを記憶する記憶手段；および記憶された栽培条件データを蓄積された農法技術データベースと照合し、植物栽培者に適した農法技術データを選定して植物栽培者に伝送する選定・伝送手段；を備えたコンピュータ／ネットワークシステムを用いて、植物栽培者は伝送された農法技術データにより植物を栽培することを特徴とする植物栽培システム。【選択図】図１
2014168398.tif 000002
【特許請求の範囲】
【請求項１】
植物栽培のための農法を導入する植物栽培者に農法技術を供与することを含む、植物栽培システムにおいて、栽培する植物の栽培条件データを入力する入力手段；栽培条件データを記憶する記憶手段；および記憶された栽培条件データを蓄積された農法技術データベースと照合し、植物栽培者に適した農法技術データを選定して植物栽培者に伝送する選定・伝送手段；を備えたコンピュータ／ネットワークシステムを用いて、植物栽培者は伝送された農法技術データにより植物を栽培することを特徴とする植物栽培システム。
【請求項２】
植物栽培のための農法が、遠赤外線放射物質間での遠赤外線の放射・吸収現象を利用した農法（「ＫＦＴ」農法）である請求項１に記載の植物栽培システム。
【請求項３】
植物栽培のための農法において、加熱源または冷却源のために用いられる、ガスまたは電力エネルギーがエネルギー供給者により供給される請求項１または２に記載の植物栽培システム。
【請求項４】
コンピュータ／ネットワークシステムが、さらに植物栽培者の栽培状況を示す、植物の生育状況に対応した、植物栽培者帰属情報が入力され、その情報に対応する農法技術データを逐次提供する手段を備える請求項１〜３のいずれか１項に記載の植物栽培シ
ステム。
【請求項５】
植物栽培者が金融機関による融資を受ける際に、エネルギー供給者および／またはＫＦＴ農法技術の供与者が保証する請求項１〜４のいずれか１項に記載の植物栽培システム。
【請求項６】
栽培条件が、植物栽培のための農法における温度制御に関する情報を含む請求項１〜５のいずれか１項に記載の植物栽培システム。
【請求項７】
栽培条件が、野菜・花卉の種類に応じた播種、育苗、施肥、定植、灌水、整枝、誘引および／または収穫に関する情報を含む請求項１〜６のいずれか１項に記載の植物栽培システム。
【請求項８】
栽培条件が、果樹の種類に応じた受粉、摘果、施肥、袋かけ、灌水、整枝、誘引および／または収穫に関する情報を含む請求項１〜６のいずれか１項に記載の植物栽培システム。
【請求項９】
ＫＴＦ農法が、
農園芸用ハウスの内面の少なくとも一部が、遠赤外線を放射・吸収し遠赤外線の放射率が０．６以上である遠赤外線放射物質を含む材料で構成されたハウス内面構成部材からなり、農園芸用ハウスの土壌内および/または土壌表面もしくはその近傍に、加熱または冷却用管が加熱または冷却源として配設されてなり、かつ、前記ハウス内面構成部材の前記遠赤外線放射物質と同一の遠赤外線放射物質を前記土壌に配合し、前記加熱用管により前記土壌が加熱されると、その加熱された土壌中の遠赤外線放射物質が放射する遠赤外線を前記ハウス内面構成部材の前記遠赤外線放射物質が吸収し、または前記冷却用管により前記土壌が冷却されると、その冷却された土壌中の遠赤外線放射物質が前記ハウス内面構成部材の前記遠赤外線放射物質の放射する遠赤外線を吸収する、ように構成された農園芸用ハウス、
を用いる請求項１〜８のいずれか１項に記載の植物栽培システム。
【請求項１０】
ＫＴＦ農法が、
植物栽培領域およびその上面側に光を照射する照明ランプを備えてなる植物栽培室において、前記植物栽培室の内面の少なくとも一部が遠赤外線を放射・吸収し遠赤外線の放射率が０．６以上である遠赤外線放射物質を含む材料で構成された植物栽培室内面構成部材からなり、前記照明ランプの表面は、前記遠赤外線放射物質と同一の遠赤外線放射物質を含む被覆層を有してなり、前記植物栽培室内面構成部材の前記遠赤外線放射物質と同一の遠赤外線放射物質を含む材料で構成された冷却もしくは加熱面を有する冷却もしくは加熱源を設けてなり、前記冷却源の前記冷却面が冷却されると、その冷却面の前記遠赤外線放射物質が前記植物栽培室内面構成部材および照明ランプ表面の前記遠赤外線放射物質が放射する遠赤外線を吸収し、または、前記加熱源の前記加熱面が加熱されると、その加熱面の前記遠赤外線放射物質が放射する遠赤外線を前記植物栽培室内面構成部材および照明ランプの前記遠赤外線放射物質が吸収するように構成されてなる植物栽培工場、
を用いる請求項１〜８のいずれか１項に記載の植物栽培システム。
【請求項１１】
ＫＴＦ農法が、
天気予報情報にもとづいて、農園芸用ハウスの設置場所における所定時間後の気象予測データを取得する取得手段、及び前記冷却もしくは加熱源に供給される冷水もしくは温水の必要水温を予測する手段を有し、予測された必要水温が得られるように農園芸用ハウスにおける加熱もしくは冷却用管の水温を制御する自動運転制御システム、
を用いる請求項９に記載の植物栽培システム。
【請求項１２】
ＫＴＦ農法が、
天気予報情報にもとづいて、植物栽培工場の設置場所における所定時間後の気象予測データを取得する取得手段、及び前記冷却もしくは加熱源に供給される冷水もしくは温水の必要水温を予測する手段を有し、予測された必要水温が得られるように植物栽培工場における加熱もしくは冷却用の水温を制御する自動運転制御システム、
を用いる請求項１０に記載の植物栽培システム。
【発明の詳細な説明】
【技術分野】
【０００１】
本発明は、各種農法による植物栽培システム、特に遠赤外線放射物質間での遠赤外線の放射・吸収現象を利用した農法（以下、「ＫＦＴ」農法という。）を導入する植物栽培システムに関する。
【背景技術】
【０００２】
農業は、重要な産業の１つであることは明らかであるが、後継者不足、栽培ノウハウの蓄積の不十分さ、等の種々の問題を抱えており、栽培技術の一層の向上およびシステム化等、一層高い生産性が求められている。そして、このために種々の提案がなされている。しかしながら、この分野においては、栽培技術の習得、初期投資の軽減の必要性等、新規参入者または経験の浅い栽培者にとって参入障壁があまりに高いという課題があり、依然としてさらなる解決策が望まれている。
【発明の概要】
【発明が解決しようとする課題】
【０００３】
本発明は、上記の現状に鑑みて、参入障壁を低くして、植物栽培の経験が少なくても植物栽培に取り組むことができ、しかも資金面問題も解消し得る、植物栽培システムを提供することを目的とする。
【課題を解決するための手段】
【０００４】
本発明は上記の問題を解決するために、以下の発明を提供するものである。
（１）植物栽培のための農法を導入する植物栽培者に農法技術を供与することを含む、植物栽培システムにおいて、栽培する植物の栽培条件データを入力する入力手段；栽培条件データを記憶する記憶手段；および記憶された栽培条件データを蓄積された農法技術データベースと照合し、植物栽培者に適した農法技術データを選定して植物栽培者に伝送する選定・伝送手段；を備えたコンピュータ／ネットワークシステムを用いて、植物栽培者は伝送された農法技術データにより植物を栽培することを特徴とする植物栽培システム。
（２）植物栽培のための農法が、遠赤外線放射物質間での遠赤外線の放射・吸収現象を利用した農法（「ＫＦＴ」農法）である上記（１）に記載の植物栽培システム。
（３）植物栽培のための農法において、加熱源または冷却源のために用いられる、ガスまたは電力エネルギーがエネルギー供給者により供給される上記（１）または（２）に記載の植物栽培システム。
（４）コンピュータ／ネットワークシステムが、さらに植物栽培者の栽培状況を示す、植物の生育状況に対応した、植物栽培者帰属情報が入力され、その情報に対応する農法技術データを逐次提供する手段を備える上記（１）〜（３）のいずれかに記載の植物栽培システム。
（５）植物栽培者が金融機関による融資を受ける際に、エネルギー供給者および／または農法技術の供与者が債務保証する上記（１）〜（４）のいずれかに記載の植物栽培システム。
（６）栽培条件が、植物栽培のための農法における温度制御に関する情報を含む上記（１）〜（５）のいずれかに記載の植物栽培システム。
（７）栽培条件が、野菜・花卉の種類に応じた播種、育苗、施肥、定植、灌水、整枝、誘引および／または収穫に関する情報を含む上記（１）〜（６）のいずれかに記載の植物栽培システム。
（８）栽培条件が、果樹の種類に応じた受粉、摘果、施肥、袋かけ、灌水、整枝、誘引および／または収穫に関する情報を含む上記（１）〜（６）のいずれかに記載の植物栽培システム。
（９）ＫＴＦ農法が、
農園芸用ハウスの内面の少なくとも一部が、遠赤外線を放射・吸収し遠赤外線の放射率が０．６以上である遠赤外線放射物質を含む材料で構成されたハウス内面構成部材からなり、農園芸用ハウスの土壌内および/または土壌表面もしくはその近傍に、加熱または冷却用管が加熱または冷却源として配設されてなり、かつ、前記ハウス内面構成部材の前記
遠赤外線放射物質と同一の遠赤外線放射物質を前記土壌に配合し、前記加熱用管により前記土壌が加熱されると、その加熱された土壌中の遠赤外線放射物質が放射する遠赤外線を前記ハウス内面構成部材の前記遠赤外線放射物質が吸収し、または前記冷却用管により前記土壌が冷却されると、その冷却された土壌中の遠赤外線放射物質が前記ハウス内面構成部材の前記遠赤外線放射物質の放射する遠赤外線を吸収する、ように構成された農園芸用ハウス、
を用いる上記（１）〜（８）のいずれかに記載の植物栽培システム。
（１０）ＫＴＦ農法が、
植物栽培領域およびその上面側に光を照射する照明ランプを備えてなる植物栽培室において、前記植物栽培室の内面の少なくとも一部が遠赤外線を放射・吸収し遠赤外線の放射率が０．６以上である遠赤外線放射物質を含む材料で構成された植物栽培室内面構成部材からなり、前記照明ランプの表面は、前記遠赤外線放射物質と同一の遠赤外線放射物質を含む被覆層を有してなり、前記植物栽培室内面構成部材の前記遠赤外線放射物質と同一の遠赤外線放射物質を含む材料で構成された冷却もしくは加熱面を有する冷却もしくは加熱源を設けてなり、前記冷却源の前記冷却面が冷却されると、その冷却面の前記遠赤外線放射物質が前記植物栽培室内面構成部材および照明ランプ表面の前記遠赤外線放射物質が放射する遠赤外線を吸収し、または、前記加熱源の前記加熱面が加熱されると、その加熱面の前記遠赤外線放射物質が放射する遠赤外線を前記植物栽培室内面構成部材および照明ランプの前記遠赤外線放射物質が吸収するように構成されてなる植物栽培工場、
を用いる上記（１）〜（８）のいずれかに記載の植物栽培システム。
（１１）ＫＴＦ農法が、
天気予報情報にもとづいて、農園芸用ハウスの設置場所における所定時間後の気象予測データを取得する取得手段、および前記冷却もしくは加熱源に供給される冷水又は温水の必要水温を予測する手段を有し、予測された必要水温が得られるように農園芸用ハウスにおける加熱または冷却用管の水温を制御する自動運転制御システム、
を用いる上記（９）に記載の植物栽培システム。
（１２）ＫＴＦ農法が、
天気予報情報にもとづいて、植物栽培工場の設置場所における所定時間後の気象予測データを取得する取得手段、および前記冷却又は加熱源に供給される冷水もしくは温水の必要水温を予測する手段を有し、予測された必要水温が得られるように植物栽培工場における加熱または冷却用の水温を制御する自動運転制御システム、
を用いる上記（１０）に記載の植物栽培システム。
【発明の効果】
【０００５】
本発明によれば、植物栽培の経験が少なくても植物栽培に取り組むことができ、しかも資金面問題も解消し得る、植物栽培システムを提供し得る。すなわち、熟練農家の技術、ノウハウを享受でき、さらに重油不要であり、クリーンエネルギーを使用し得る。
【図面の簡単な説明】
【０００６】
【図１】本発明の植物栽培システムのフロー概要を示す。
【図２】本発明のＫＴＦ農法による農園芸用ハウスの一態様を模式的に示す図。
【図３】本発明のＫＴＦ農法による農園芸用ハウスのもう１つの態様を模式的に示す図。
【図４】本発明のＫＴＦ農法による植物栽培システムの一態様を模式的に示す図。
【図５】本発明の一態様において用いる自動運転制御システムのフローの概要を示す図。
【発明を実施するための形態】
【０００７】
本発明の植物栽培システムにおいて、植物栽培のための農法は、特に制限されず、たとえば野菜・花卉および果樹の栽培のための一般的な農法を含み、たとえば化学肥料や農薬を控える、いわゆる有機栽培、必要最小限度の水と肥料を用いる、いわゆる永田農法、も含む。このような農法として特に好適には、遠赤外線放射物質間での遠赤外線の放射・吸収現象を利用した農法（「ＫＦＴ」農法）を導入する植物栽培者に、ＫＦＴ農法技術を供与することを含む、ＫＦＴ農法による植物栽培システムが挙げられる。
【０００８】
この植物栽培システムは、栽培する植物の栽培条件データを入力する入力手段；栽培条件データを記憶する記憶手段；および記憶された栽培条件データを植物栽培者に伝送する伝送手段；を備えたコンピュータ／ネットワークシステムを用いて、植物栽培者は伝送された栽培条件データにより栽培する植物の栽培条件を選定することを含む。
【０００９】
植物としては、野菜・花卉および果樹が含まれ、その種類は特に制限されない。たとえば、野菜としては、キャベツ、ブロッコリー、白菜、レタス、小松菜、ホウレンソウ、等の葉菜類、ニンジン、タマネギ、カブ、ダイコン、ゴボウ等の根菜類、トマト、キュウリ、ナス、ピーマン、スイカ、メロン、エダマメ、インゲン、カボチャ、コーン等の果菜類、花卉としては、草花、観葉植物、花木類等、が挙げられる。果樹としては、ブドウ、モモ、オウトウ、リンゴ、カキ、ナシ、ミカン、マンゴー、ビワ、イチジク等が挙げられる。
【００１０】
ＫＦＴ農法は、遠赤外線放射物質間での遠赤外線の放射・吸収現象を利用した農法であり、本発明者らが開発した室内環境調整システム（たとえば、特許第４８１８４１８号公報）を利用するものである。このＫＦＴ農法は、好適な態様として、次のような態様を含む。
【００１１】
ア  農園芸用ハウス
農園芸用ハウスの内面の少なくとも一部が、遠赤外線を放射・吸収し遠赤外線の放射率が０．６以上である遠赤外線放射物質を含む材料で構成されたハウス内面構成部材からなり、農園芸用ハウスの土壌内および/または土壌表面もしくはその近傍に、加熱または冷却用管が配設されてなり、かつ、前記ハウス内面構成部材の前記遠赤外線放射物質と同一の遠赤外線放射物質を前記土壌に配合し、前記加熱用管により前記土壌が加熱されると、その加熱された土壌中の遠赤外線放射物質が放射する遠赤外線を前記ハウス内面構成部材の前記遠赤外線放射物質が吸収し、または前記冷却用管により前記土壌が冷却されると、その冷却された土壌中の遠赤外線放射物質が前記ハウス内面構成部材の前記遠赤外線放射物質の放射する遠赤外線を吸収する、ように構成された農園芸用ハウス。
【００１２】
このような農園芸用ハウスによれば、農業用等のハウス内の土壌および植物のために効率的な、加温もしくは冷却の温度調節を可能にし、省エネルギー効果に優れ、土壌の加熱が容易な、農園芸用ハウスを提供し得る。さらに、本発明によれば、植物の生育に好適な環境が付与されるため、生育される植物は根が張りやすく、耐病性に優れる。
【００１３】
この農園芸用ハウスは、農園芸用ハウスの内面の少なくとも一部が、遠赤外線を放射・吸収し遠赤外線の放射率（積分放射率）が０．６以上である遠赤外線放射物質を含む材料で構成されたハウス内面構成部材からなる。農園芸用ハウスの内面は、ハウス空間内に露出した面を有し、側壁面および/または天井面であり、ドアや窓などのような開閉手段を備えることができる。また、側壁面の内側にカーテンを設け、夜間に下降させて、放射冷却を防止する場合等には、このカーテンも側壁面に含まれる。ハウス内面構成部材はそれらの面を構成している部材である。ハウス内面構成部材の少なくとも一部は、遠赤外線を放射・吸収する遠赤外線放射物質で構成されるか、遠赤外線放射物質を混入した材料で構成されるか、又は遠赤外線放射物質からなる皮膜を有する。遠赤外線の放射および吸収を効率よく行うため、ハウス内面構成部材に混入される遠赤外線放射物質は、ハウス内空間に露出していることが好ましい。ハウス内面構成部材中の遠赤外線放射物質は、ハウス内空間に直接露出されずに、遠赤外線放射物質の遠赤外線の放射・吸収を有意に妨げない程度の保護層（例えば、１ｍｍ程度以下の厚さの塗装膜）などで覆われていてもよい。
【００１４】
遠赤外線放射物質は遠赤外線を放射・吸収する物質をいうが、本発明で用いる遠赤外線放射物質は、遠赤外線の放射率が０．６以上、好ましくは０．８以上の遠赤外線放射物質である。このような遠赤外線放射物質は、通常、いわゆる無機材料であり、天然及び人工の鉱物、金属及び半金属の酸化物、窒化物、炭化物、硫化物、水酸化物等、炭酸塩などの塩やそれらの複合物（複塩）、炭などのほか、貝殻などの天然素材なども含まれる。また、本発明の遠赤外線放射物質の殆どは広義のセラミックス材料（金属以外の無機材料をいう。）であるが、有機物や有機物由来の物質であっても上記放射率の条件を満たすならば用いることができる。
【００１５】
遠赤外線放射物質を含む部材中における遠赤外線放射物質の形態は、遠赤外線放射物質を含む部材が遠赤外線を放射・吸収できれば格別に制約はなく、代表的には、遠赤外線放射物質からなる、パネルまたはタイル状等の一体物、遠赤外線放射物質の粒子、粉末、骨材等（これらをもまとめて粒子ともいう。）を含む部材、遠赤外線放射物質の皮膜を有する部材などの形態であることができる。粒子の場合、その直径は通常〜１００μｍ程度から選ばれる。
【００１６】
上記の遠赤外線放射物質を混入した材料とは、構成成分の一部として遠赤外線放射物質を含む材料をいう。この場合の遠赤外線放射物質は、典型的には天然又は人工の無機材料の粒子として、プラスチックフィルム等のハウス内面構成部材の製造材料中に混入される。
【００１７】
遠赤外線放射物質からなる皮膜とは、ハウス内面構成部材の表面に形成した遠赤外線放射物質の皮膜をいう。この皮膜は、適当な皮膜形成技術、例えば熔射、蒸着などのＰＶＤ技術、あるいはＣＶＤ技術により、遠赤外線放射物質を対象表面にコーティングして形成することができる。
【００１８】
本発明で使用する遠赤外線放射物質の遠赤外線の放射率は、０．６以上であり、好ましくは０．８以上、より好ましくは０．９以上である。遠赤外線は、波長が３μｍ〜１０００μｍの電磁波のことをいう。材料の放射率は、同一条件における理想的な黒体の遠赤外線の放射エネルギーをＷ0とし、当該材料の遠赤外線の放射エネルギーをＷとした場合に、Ｗ／Ｗ0によって定義される。
【００１９】
本発明においては、農園芸用ハウスの土壌内および/または土壌表面もしくはその近傍に、加熱または冷却用管が配設されてなり、かつ、ハウス内面構成部材の遠赤外線放射物質と同一の遠赤外線放射物質、またはそれと異なる遠赤外線放射物質を含む材料を土壌、好適には畝部、に配合する。それらの材料の粒径は、通常１μｍ〜２ｍｍ程度から選ばれる。
【００２０】
土壌は、ハウス内の圃場を形成するものであり、栽培する植物の種類により、適した条件が調整され、適宜畝部が形成される。この土壌内に、好適には畝部に、加熱または冷却用管が埋設され、その内部に形成された流路に媒体を流すことにより、土壌に配合された遠赤外線放射物質を含む材料を加熱または冷却することができる。媒体としては、通常、２５〜５５℃の温水もしくはその他の液体、または５〜２０℃の冷水もしくは不凍液等の液体が用いられ、加熱または冷却用管は、通常１畝部あたり１〜４本程度埋め込まれ、好適には１畝部あたり２〜３本埋め込まれる。埋設深さは、土壌の深さにもよるが、通常、土壌の深さの中心付近に置かれ、１０〜４０ｃｍ程度が好適である。埋設に代えて、あるいは付加的に土壌表面もしくはその近傍に加熱または冷却用管を設置することもできる。
加熱または冷却用管の内径は、通常１０〜３０ｍｍ程度であり、厚さは、たとえば２ｍｍ程度である。
【００２１】
さらにここでは、加熱または冷却用管の外側表面が、ハウス内面構成部材の遠赤外線放射物質と同一の遠赤外線放射物質を１質量％以上含む材料で構成される被覆層を形成されていてもよい。さらに、本発明においては、加熱または冷却用管自体が、前記ハウス内面構成部材の前記遠赤外線放射物質と同一の遠赤外線放射物質を１質量％以上含む材料で構成されていてもよい。
【００２２】
これらの構成の採用は、加熱または冷却用管の内部に形成された流路に媒体を流すことにより、土壌に配合された遠赤外線放射物質を含む材料を加熱または冷却するする効率をさらに高めることができる。
【００２３】
ハウス内面構成部材の遠赤外線放射物質と土壌に遠赤外線放射物質は同一であり、同一分子種間における熱放射を介した熱移動が、高い効率で行われる現象を利用して、ハウス内面構成部材の遠赤外線放射物質と土壌内の遠赤外線放射物質との間で熱放射を介し熱移動を高い効率で行わせるものである。本発明では、同一分子種で構成されている、ハウス内面構成部材の遠赤外線放射物質と土壌内の遠赤外線放射物質のことを、同一であると称する。ここで「同一分子種」とは、遠赤外線を放射・吸収する性質を示し、遠赤外線の放射率が０．６以上、好ましくは０．８以上、さらに好ましくは０．９以上である一方の物質（例えば、室内面構成部材において使用する遠赤外線放射物質）と、遠赤外線を放射・吸収する性質を示し、遠赤外線の放射率が０．６以上、好ましくは０．８以上、さらに好ましくは０．９以上であるもう一方の物質（冷却及び／又は加熱源の冷却及び／又は加熱面で使用する遠赤外線放射物質）とが、分子レベルで同一であることをいう。ここでの「分子」とは、化学結合により結合された原子の集団を意味する。したがって、ここでいう「分子」には、例えば天然鉱物の結晶なども含まれる。類似元素が置換あるいは固溶した同一鉱物は同一分子種の物質と看做されている。天然の鉱物の場合、複数の化合物で構成されるのが普通であり、しかも巨視的レベルでは鉱物中の部位によりそれらの化合物の結晶構造に違いが見られることもある。とは言え、この場合は、実質的に同じ分子種の物質の実質的に同じ組成の集合体であり、全体として同一分子種の物質と同様に考えてよい。
【００２４】
ハウス内面構成部材は遠赤外線放射物質を１質量％以上含むのが好適であり、さらに好適には３質量％以上である。
【００２５】
土壌に遠赤外線放射物質を配合する場合、その表面から２０ｍｍまでの深さの表面層において遠赤外線放射物質を０．０１質量％以上含むようにするのが好適であり、さらに好適には０．１質量％以上、もっと好適には１質量％以上である。
【００２６】
本発明の農園芸用ハウスにおいては、加熱用管により土壌が加熱されると、その加熱された土壌中の遠赤外線放射物質が放射する遠赤外線をハウス内面構成部材の遠赤外線放射物質が吸収し、または冷却用管により土壌が冷却されると、その冷却された土壌中の遠赤外線放射物質がハウス内面構成部材の遠赤外線放射物質の放射する遠赤外線を吸収することになる。
【００２７】
さらに、本発明の農園芸用ハウスにおいては、昼間と夜間のいずれかに加熱または冷却用管の流路に媒体を流すことにより、ハウス内の効率的な温度調節を行うことができる。
【００２８】
たとえば、本発明の１態様において、昼間には、加熱または冷却用管の流路に媒体を流さないで日射によりハウス内面構成部材の遠赤外線放射物質を加熱し、加熱されたハウス内面構成部材の遠赤外線放射物質が放射する遠赤外線を土壌に配合された遠赤外線放射物質が吸収し、他方、夜間には、加熱または冷却用管の流路に加熱媒体を流して、土壌に配合された遠赤外線放射物質を含む材料を加熱し、その加熱された遠赤外線放射物質の放射する遠赤外線を前記ハウス内面構成部材の前記遠赤外線放射物質が吸収する。
【００２９】
あるいは、本発明のもう1つの態様において、昼間には、加熱または冷却用管の流路に冷却媒体を流して、土壌に配合された遠赤外線放射物質を含む材料を冷却し、その冷却された土壌中の遠赤外線放射物質が前記ハウス内面構成部材の前記遠赤外線放射物質の放射する遠赤外線を吸収し、他方、夜間には、加熱または冷却用管の流路に媒体を流さないで放射冷却によりハウス内面構成部材の遠赤外線放射物質を冷却し、冷却されたハウス内面構成部材の遠赤外線放射物質が土壌に配合された遠赤外線放射物質の放射する遠赤外線を吸収する。
【００３０】
加熱または冷却用管の流路に流す冷水または温水を発生させる冷却又は加熱源のために、冷熱放射装置が好適に使用され、冷放射と熱放射を切り換えて行うことができる。冷放射は、冷却されることで、周囲からの熱放射を吸収する作用のことをいい、熱放射は、加熱されることで、周囲に向かって熱放射を行う作用のことをいう。このような冷熱放射装置は、室外機である冷温水発生装置に接続されている。冷温水発生装置は、ヒートポンプ機能を備え、冷水または温水を発生する。このヒートポンプ機能は、通常のエアコン等に用いられているものと同じ原理により動作する。なお、冷房効果だけを得るのであれば、冷水の発生機能だけでよい。また、暖房効果だけを得るのであれば、温水の発生機能だけでよい。なお、冷水というのは、冷温水発生装置の冷却機能によって冷却された水のことであり、温水というのは、冷温水発生装置の加熱機能によって加熱された水のことをいう。
【００３１】
さらに、本発明のもう1つの態様において、農園芸用ハウスは、ハウス内面構成部材の内側に、ハウス内の土壌および植物の上方を覆うためのフィルム覆いをハウス内面構成部材と間隔をおいて設け、ハウス内面構成部材とフィルム覆いの間には遮熱シートを設けてなる。これらのフィルム覆いおよび遮熱シートは開閉可能に構成される。開閉は巻き上げ、上下移動等のいずれの方式であってもよい。フィルム覆いは、通常夜間に用いられるが、気温が低い場合には昼間も用いられる。遮熱シートは、昼間は太陽光を取り入れるために用いられず、夜間に用いられのが通常であり、放射冷却を防止し、土壌に配合された遠赤外線放射物質から放射された遠赤外線を内側に反射させ、これらの往復の遠赤外線で保温効果を促進することができる。
【００３２】
フィルム覆いは、農園芸用ハウスに一般的に用いられるプラスチックフィルム、たとえば塩化ビニル製フィルム等が好適に用いられ、遮熱シートは厚さ１０μｍ〜１ｍｍ程度のアルミニウムシートであるのが反射効率、コストの点から好適である。強度、保形等のために、紙、不織布等の基材上に貼付もしくは蒸着することができる。アルミニウム以外に、たとえば銀等の蒸着も使用し得る。
【００３３】
また、遠赤外線放射物質の０．０１ｗｔ％〜３ｗｔ％水溶液、好ましくは０．０１ｗｔ％〜１ｗｔ％水溶液、を土壌中にさらに添加することにより、本発明による効果を一層向上し得る。すなわち、植物が水溶液中の遠赤外線放射物質を取り込むことにより、植物自体が遠赤外線の前記吸収機構に直接関与（いわゆる共鳴）し得ることになる。遠赤外線放射物質の水溶液の調製は、常法によることができる。
【００３４】
以下に、図面とともに本発明の農園芸用ハウスについてさらに具体的に説明する。図２は、本発明に用いられる農園芸用ハウスの一態様を模式的に示す図である。図２において、１は農園芸用ハウスであり、内部に側壁面２、天井面３、および土壌（畝部）４を有する。側壁面２および天井面３の表面には、バインダー成分（塗料）９８％および遠赤外線放射物質２質量％からなるハウス内面構成部材が、厚さ１ｍｍでスプレー法により塗布されている（図示されていない）。土壌（畝部）４中には、2本の、加熱または冷却用管５が埋め込まれており、土壌（畝部）４の表面２０ｍｍ以内には、ハウス内面構成部材に含まれるものと同一の遠赤外線放射物質粒子（１０〜５００μｍ程度）６が約０．５質量％配合されている。遠赤外線放射物質として遠赤外放射セラミックス（Al2O３-SiO2系）粉末（放射率０．９４）が用いられた。
【００３５】
図３は、農園芸用ハウスのもう１つの態様を模式的に示す。ここでは、加熱または冷却用管５は、土壌中への埋設に代えて、土壌表面に設置されている。
【００３６】
イ  植物栽培工場
植物栽培領域およびその上面側に光を照射する照明ランプを備えてなる植物栽培室において、前記植物栽培室の内面の少なくとも一部が遠赤外線を放射・吸収し遠赤外線の放射率が０．６以上である遠赤外線放射物質を含む材料で構成された植物栽培室内面構成部材からなり、前記照明ランプの表面は、前記遠赤外線放射物質と同一の遠赤外線放射物質を含む被覆層を有してなり、前記植物栽培室内面構成部材の前記遠赤外線放射物質と同一の遠赤外線放射物質を含む材料で構成された冷却及び/又は加熱面を有する冷却及び/又は加熱源を設けてなり、前記冷却源の前記冷却面が冷却されると、その冷却面の前記遠赤外線放射物質が前記植物栽培室内面構成部材および照明ランプ表面の前記遠赤外線放射物質が放射する遠赤外線を吸収し、又は、前記加熱源の前記加熱面が加熱されると、その加熱面の前記遠赤外線放射物質が放射する遠赤外線を前記植物栽培室内面構成部材および照明ランプの前記遠赤外線放射物質が吸収するように構成されてなる、植物栽培工場。
【００３７】
ここで、植物栽培装置は、植物栽培工場、育苗装置等、植物の生育環境を制御した建屋内で植物を栽培する装置をいい、植物栽培領域およびその上面側に光を照射する照明ランプを備えてなる。植物栽培領域は種々の植物を生育させるための領域であれば特に制限されず、単数または複数の棚段、栽培容器、栽培ボード、畑、等、如何なる方式も採用し得、後述するように土壌方式、水耕方式のいずれでもよい。
【００３８】
植物栽培室は、その内面の少なくとも一部が遠赤外線を放射・吸収し遠赤外線の放射率（積分放射率）が０．６以上である遠赤外線放射物質を含む材料で構成された植物栽培室内面構成部材からなる。その内面は、植物栽培室空間内に露出した面を有し、側壁面および/または天井面であり、ドアや窓などのような開閉手段を備えることもできる。また、側壁面の内側にカーテンを設け、夜間に下降させて放射冷却を防止する場合等には、このカーテンも側壁面に含まれる。植物栽培室内面構成部材はそれらの面を構成している部材である。植物栽培室内面構成部材の少なくとも一部は、遠赤外線を放射・吸収する遠赤外線放射物質で構成されるか、遠赤外線放射物質を混入した材料で構成されるか、又は遠赤外線放射物質からなる皮膜を有する。遠赤外線の放射および吸収を効率よく行うため、植物栽培室内面構成部材に混入される遠赤外線放射物質は、植物栽培室内空間に露出していることが好ましい。植物栽培室内面構成部材中の遠赤外線放射物質は、植物栽培室内空間に直接露出されずに、遠赤外線放射物質の遠赤外線の放射・吸収を有意に妨げない程度の保護層（例えば、１ｍｍ程度以下の厚さの塗装膜）などで覆われていてもよい。
【００３９】
遠赤外線放射物質は、上記アで記載のとおりである。
【００４０】
さらに、本発明において、照明ランプとしては、白色蛍光灯、発光ダイオード（ＬＥＤ）、高圧ナトリウムランプ、メタルハライドランプ、等の光源を使用し得る。そして、本発明においては、照明ランプの表面は、植物栽培室内面構成部材の遠赤外線放射物質と同一の遠赤外線放射物質を含む被覆層を有する。たとえば、遠赤外線の放射率が０．９を超える数値を示す花崗岩を粉砕した粉砕物を混ぜた白い塗料により構成された厚さ約２００μｍの被覆層が形成される。被覆層中の花崗岩の粒径は、たとえば１００μｍ以下である。この花崗岩の被覆層における含有率は、塗料の硬化状態（乾燥状態）で好ましくは０．１〜５質量％である。その厚さは、通常０．１〜１ｍｍ程度から選択される。
【００４１】
さらに、本発明においては、植物栽培室内面構成部材の遠赤外線放射物質と同一の遠赤外線放射物質を含む材料で構成された冷却又は加熱面を有する冷却又は加熱源を設けてなる。冷却源の冷却面が冷却されると、その冷却面の遠赤外線放射物質が植物栽培室内面構成部材および照明ランプの遠赤外線放射物質が放射する遠赤外線を吸収し、または、加熱源の前記加熱面が加熱されると、その加熱面の前記遠赤外線放射物質が放射する遠赤外線を植物栽培室内面構成部材および照明ランプの遠赤外線放射物質が吸収するように構成されてなる。
【００４２】
ここで、冷却又は加熱面は、好適には遠赤外線放射物質を被覆されたフィンを有するラジエーターで構成されており、冷房運転時にラジエーター表面に空気中の水分が結露して生成した水滴を屋外に排出するために、ラジエーター下方の水滴受部の排水溝から屋外の排水出口に至る排水系を設けている。ラジエーターは、たとえば表面を被覆加工したアルミニウム製のフィンを複数備えている。このフィンは、薄手の板状であり、上下に延在している。フィンは、熱伝導の良好な他の金属または合金材料、例えば鉄や銅、それらの合金など、で製作することもできる。このフィンの表面は、遠赤外線放射物質の粉砕物とバインダーとを混合し、それを層状に塗り、乾燥させることで被覆されている。
【００４３】
フィンは、通常、アルミニウム製の支持板と一体形成されている。支持板の裏面側は、冷媒通路に露出している。冷媒通路には、冷媒として冷水が循環する。この冷媒は、冷却源である冷媒冷却装置により冷却される。冷媒冷却装置の冷却機構は、一般的な空調装置や冷蔵庫に利用されているものと同じである。
【００４４】
冷却面の下方には、排水溝が設けられている。冷媒通路内を冷却水が循環すると、フィンが冷却され、フィンの表面の遠赤外線物質層も冷却され、床面、壁面、天井面の室内面構成部材から放射された遠赤外線を吸収して、部屋内の環境の冷却が行われる。また、冷却面の表面に室内空間の空気中に含まれる水分が結露する。この結露した水滴は、排水溝に滴下し、排水溝から排水出口へ移動し、再利用されるか、または室外に排出される。
【００４５】
冷却及び／又は加熱源のために、冷熱放射装置が好適に使用され、冷放射と熱放射を切り換えて行うことができる。冷放射は、冷却されることで、周囲からの熱放射を吸収する作用のことをいい、熱放射は、加熱されることで、周囲に向かって熱放射を行う作用のことをいう。
【００４６】
このような冷熱放射装置は、室外機である冷温水発生装置に接続されている。冷温水発生装置は、ヒートポンプ機能を備え、冷水または温水を発生する。このヒートポンプ機能は、通常のエアコン等に用いられているものと同じ原理により動作する。なお、冷房効果だけを得るのであれば、冷水の発生機能だけでよい。また、暖房効果だけを得るのであれば、温水の発生機能だけでよい。
【００４７】
冷熱放射装置に、冷温水発生装置から冷水が供給されると、フィンが冷やされ、結露による除湿が行われる。また冷却されることで、フィンの表面は、冷放射を行う冷却面として機能する。また、冷熱放射装置に、冷温水発生装置から温水が供給されると、上記フィンが温められ、このフィンの表面が加熱面（熱放射面）として機能する。なお、冷水というのは、冷温水発生装置の冷却機能によって冷却された水のことであり、温水というのは、冷温水発生装置の加熱機能によって加熱された水のことをいう。なお、上記のように、フィンに結露した水滴は、下方のトレイに滴下させて集められ、排水溝から屋外に排水される。
【００４８】
本発明の一態様において、フィンの表面には、遠赤外線の放射率が０．９を超える数値を示す花崗岩を粉砕した粉砕物（以下、石粉という）を混ぜた白い塗料により構成された厚さ約２００μｍの被覆層が形成される。被覆層中の石粉の粒径は、５０μｍ以下である。この石粉の被覆層における含有率は、塗料の硬化状態（乾燥状態）で２０重量％とされている。この被覆層が冷却除湿面および加熱面として機能する。
【００４９】
本発明における植物栽培は土壌方式または水耕方式のいずれでもよく、常法によることができる。植物栽培が畑による土壌方式である場合において、植物栽培室内面構成部材の遠赤外線放射物質と同一の遠赤外線放射物質を含む材料を土壌に配合することができる。さらに好適には、土壌内および/または土壌表面もしくはその近傍に、加熱または冷却用管が設置されてなる。それらの材料の粒径は、通常１μｍ〜２ｍｍ程度から選ばれる。
一方、植物栽培が水耕方式である場合においては、水耕水が遠赤外線放射物質の水溶液であるのが好適である。水耕水に溶解した遠赤外線放射物質の濃度は０．００１ｗｔ％〜３ｗｔ％水溶液、好ましくは０．０１ｗｔ％〜１ｗｔ％水溶液である。これにより、本発明による効果を一層向上し得る。すなわち、植物が水溶液中の遠赤外線放射物質を取り込むことにより、植物自体が遠赤外線の前記吸収機構に直接関与（いわゆる共鳴）し得ることになる。遠赤外線放射物質の水溶液の調製は常法によることができる。
【００５０】
土壌は、栽培する植物の種類により、適した条件が調整される。この土壌内または土壌表面もしくはその近傍に、加熱または冷却用管が設置され、その内部に形成された流路に媒体を流すことにより、土壌に配合された遠赤外線放射物質を含む材料を加熱または冷却することができる。媒体としては、通常、２５〜５５℃の温水もしくはその他の液体、または５〜２０℃の冷水もしくは不凍液等の液体が用いられ、加熱または冷却用管は、土壌に畝部が形成される場合には、通常１畝部あたり１〜４本程度埋め込まれ、好適には１畝部あたり２〜３本埋め込まれる。埋設深さは、土壌の深さにもよるが、通常、土壌の深さの中心付近に置かれ、３〜２０ｃｍ程度が好適である。埋設に代えて、あるいは付加的に土壌表面もしくはその近傍に加熱または冷却用管を設置することもできる。加熱または冷却用管の内径は、通常１０〜３０ｍｍ程度であり、厚さは、たとえば２ｍｍ程度である。
【００５１】
さらに本発明においては、加熱または冷却用管の外側表面が、植物栽培室内面構成部材の遠赤外線放射物質と同一の遠赤外線放射物質を１質量％以上含む材料で構成される被覆層を形成されていてもよい。さらに、本発明においては、加熱または冷却用管自体が、前記植物栽培室内面構成部材の前記遠赤外線放射物質と同一の遠赤外線放射物質を１質量％以上含む材料で構成されていてもよい。
【００５２】
これらの構成の採用は、加熱または冷却用管の内部に形成された流路に媒体を流すことにより、土壌に配合された遠赤外線放射物質を含む材料を加熱または冷却するする効率をさらに高めることができる。
【００５３】
土壌に遠赤外線放射物質を配合する場合、その表面から２０ｍｍまでの深さの表面層において遠赤外線放射物質を０．０１質量％以上含むようにするのが好適であり、さらに好適には０．１質量％以上、もっと好適には１質量％以上である。
【００５４】
本発明の植物栽培工場においては、以上のように、加熱または冷却源として、フィンおよび/または加熱もしくは冷却用管を用いることができるが、暖房時には加熱用管を、そして冷房時にはフィンを用いるのが特に好適である。
【００５５】
以下に、図４とともに本発明の植物栽培工場についてさらに具体的に説明する。図４は、本発明の植物栽培工場の一態様を模式的に示す図である（参照数字は要変更）。図４において、７は植物栽培室、８は植物栽培領域、９は植物、１０は照明ランプ、１１は植物栽培室の側壁面、１２は天井面、１３はフィンを有するラジエーター（冷熱放射装置）、１４は冷温水発生装置である。照明ランプ１０の表面、側壁面１１、天井面１２、およびフィン表面は、遠赤外線放射物質花崗岩を粉砕した粉砕物を混ぜた白い塗料により構成された、厚さ約１０〜１０００μｍ程度の被覆層が形成されている。フィンが冷却されると、その冷却面の遠赤外線放射物質が側壁面１１、天井面１２および照明ランプの遠赤外線放射物質が放射する遠赤外線を吸収し、又は、フィンが加熱されると、その加熱面の遠赤外線放射物質が放射する遠赤外線を側壁面１１、天井面１２および照明ランプの遠赤外線放射物質が吸収することになる。
【００５６】
このように、本発明の植物栽培工場においては、従来の空調方式に比べて、空気の流れが極めて少ないため、植物に快適な環境を与え、病原菌の伝播防止効果も大きい。
【００５７】
ウ  自動運転制御システム
本態様によれば、農園芸用ハウスおよび植物栽培工場において、天気予報情報にもとづいて、予測された必要水温が得られるように制御することができる自動運転制御システムを提供し得る。
【００５８】
本発明の好適な、農園芸用ハウスおよび植物栽培工場においては、上記のように、遠赤外線を放射・吸収し遠赤外線の放射率が０．６以上である遠赤外線放射物質を含む材料で構成された室内面構成部材と、前記室内面構成部材の前記遠赤外線放射物質と同一の遠赤外線放射物質を含む材料で構成された冷却もしくは加熱面を有する冷却もしくは加熱源とを具備し、前記冷却源の前記冷却面が冷却されると、その冷却面の前記遠赤外線放射物質が前記室内面構成部材の前記遠赤外線放射物質が放射する遠赤外線を吸収し、または、前記加熱源の前記加熱面が加熱されると、その加熱面の前記遠赤外線放射物質が放射する遠赤外線を前記室内面構成部材の前記遠赤外線放射物質が吸収するように構成されてなる。
【００５９】
室内面構成部材は、遠赤外線放射物質で構成されるか、遠赤外線放射物質を混入した材料で構成されるか、又は遠赤外線放射物質からなる皮膜を有する。前記冷却又は加熱源の前記冷却又は加熱面は、遠赤外線放射物質で構成されるか、遠赤外線放射物質を混入した材料で構成されるか、又は遠赤外線放射物質からなる皮膜で構成される。
【００６０】
以上のように、農園芸用ハウスまたは植物栽培工場における冷却もしくは加熱用管、またはフィンを含む放射冷暖房装置においては、冷却もしくは加熱源のために、冷熱放射装置が好適に使用され、冷放射と熱放射を切り換えて行うことができる。冷熱放射装置は、室外機である冷温水発生装置に接続されている。冷温水発生装置は、ヒートポンプ機能を備え、冷水または温水を発生する。このヒートポンプ機能は、通常のエアコン等に用いられているものと同じ原理により動作する。冷熱放射装置に、冷温水発生装置から冷水が供給されると、フィン等が冷やされ、結露による除湿が行われる。また冷却されることで、フィン等の表面は、冷放射を行う冷却面として機能する。また、冷熱放射装置に、冷温水発生装置から温水が供給されると、上記フィンが温められ、このフィンの表面が加熱面（熱放射面）として機能する。そこでは、水温を設定することにより運転されている。
【００６１】
図５は、本発明の一態様において用いる自動運転制御システムのフローの概要を示す。ここでは、自動運転制御システムにおいては、上記の放射冷暖房装置において、天気予報情報にもとづいて、前記放射冷暖房装置の設置場所における所定時間後の気象予測データを取得する取得手段、および前記冷却もしくは加熱源に供給される冷水もしくは温水の必要水温を予測する手段を有し、予測された必要水温が得られるように制御する。さらに、好適な態様において、本発明の自動運転制御システムにおいては、放射冷暖房装置を運転するコンピュータが、天気予報情報にもとづいて、前記放射冷暖房装置の設置場所における所定時間後の気象予測データを取得し、前記冷却および/または加熱源に供給される冷水又は温水の必要水温を予測し、かつ予測された必要水温が得られるように制御する。また、天気予報情報はコンピュータを介してインターネットから取得するのが好適であり、自動的に定期的に、たとえば１時間ごとに、または随時、取り込むことができる。
【００６２】
さらに、もう１つの好適な態様において、本発明の自動運転制御システムにおいては、コンピュータは、天気予報情報および/または気象予測データと必要水温との関係を示す履歴情報を記憶する機能を有し、該履歴情報を参照して必要水温を予測し、その予測に基づいて冷水又は温水の水温を制御することができる。
【００６３】
さらに、もう１つの好適な態様において、本発明の自動運転制御システムにおいては、放射冷暖房装置の設置場所における天気予報情報の影響度をローカル情報として取り込む。このローカル情報は、たとえば設置場所の家屋、部屋が南向きか、北向きかの方位等により天気予報情報の影響度を、熱損失の大小を考慮してたとえば大（Ａ）、普通（Ｂ），小（Ｃ）等にランク付けして初期情報として入力し、記憶させることができる。たとえば大（Ａ）においては後述するポイント×１．５倍、普通（Ｂ）においてはポイント×１，小（Ｃ）においてはポイント×０．８倍として入力し得る。
【００６４】
上記の天気予報情報としては、たとえば温度、湿度、雲の量、風速、および雨もしくは雪量（降水（雪）確率）から選ばれる複数の情報が挙げられる。
【００６５】
つぎに、本発明の一実施態様について、さらに具体的に説明すると、放射冷暖房装置を運転するコンピュータにより、天気予報情報にもとづいて、前記放射冷暖房装置の設置場所における所定時間後の気象予測データを取得する：天気予報情報としては、温度、湿度、雲の量、風速、および雨もしくは雪量（降水（雪）確率）から選ばれる複数の情報を含み、好適にはこれらの全部を含む。冷房の場合、たとえば気温については、２５℃を基準として1℃上昇するごとに３ポイント、湿度は６０％を基準として５％上昇するごとに１ポイント、雲の量は１０％下がるごとに１ポイント、風速は５ｍ／秒ごとに−１ポイント、雨量は降水確率５０％を基準に１０％上るごとに１ポイント、を与え、総合点数を算出する。水温１５℃を基準として総合点数が＋５ポイント毎に＋１℃とし、一方、−５ポイント毎に−１℃とする。さらに、暖房の場合には、気温が１５℃を基準として１℃低下するごとに２ポイント、雲の量は１０％増えるとごとに１ポイント、風速は３ｍ／秒ごとに１ポイント、雨量は降水確率３０％を基準に１０％増加するごとに１ポイントを与える。気温１０℃以下のとき、湿度が高いと寒くなるので、湿度は、気温１０℃より高いときに湿度６０％を基準に５％上るごとに−１ポイント、１０℃以下であるときに湿度６０％を基準に５％上るごとに１ポイントを付与する。
【００６６】
本態様によれば、天気予報情報にもとづいて、予測された必要水温が得られるように制御することができる放射冷暖房装置の自動運転制御システムを提供する。
【００６７】
本発明の植物栽培システムのフロー概要を示す図１に記載されるように、本発明の植物栽培システムは、栽培する植物の栽培条件データを入力する入力手段；栽培条件データを記憶する記憶手段；および記憶された栽培条件データを蓄積された農法技術データベースと照合し、植物栽培者に適した農法技術データを選定して植物栽培者に伝送する選定・伝送手段；を備えたコンピュータ／ネットワークシステムを用いて、植物栽培者は伝送された農法技術データにより植物を栽培することを含む。
【００６８】
植物栽培者が栽培する植物の栽培条件データが入力され、記憶されると、この栽培条件データを蓄積された農法技術データベースと照合し、植物栽培者に適した農法技術データを選定して植物栽培者に伝送する選定・伝送される。この農法技術データベースは各種の農法について、植物の種類による栽培条件を含むデータが蓄積されており、農法技術の供与先である植物栽培者が希望する植物の種類、農法、施設の状況等に対応し得るデータを含む。好適には、植物栽培者の栽培状況を示す、植物の生育状況に対応した、具体的な植物栽培者帰属情報が入力され、その情報に対応するタイムリーな農法技術データを逐次提供する手段を備える。これにより、生育トラブルの発生また拡大を未然に防止し得る。
【００６９】
栽培する植物の栽培条件データは、野菜の種類に応じた播種、育苗、施肥、定植、灌水、整枝、誘引および／または収穫に関する情報を含む。果樹の種類に応じた受粉、摘果、施肥、袋かけ、灌水、整枝、誘引および／収穫に関する情報を含む。さらに、花卉についても、その種類に応じた播種、育苗、施肥、定食、灌水、整枝、誘引および／収穫等を含む。
【００７０】
本発明によれば、上記のコンピュータ／ネットワークシステムを用いて、植物栽培者は伝送された農法技術データにより植物を栽培することができる。
【００７１】
本発明における農法技術データベースは、過去の栽培実績を蓄積させ、フィードバックさせて、逐次改良したデータとされるのが好適である。
【００７２】
植物栽培者は、たとえば、農園芸用ハウスもしくは植物栽培工場において、植物栽培者は、栽培する植物、たとえば葉菜類のKTF農法による栽培条件を容易に知ることができ、たとえば播種から収穫まで、さらには休耕、休眠時にわたって、逐次、栽培ノウハウを知見することができる。これにより、熟練農家の技術、ノウハウを享受でき、収穫量、品質の向上を容易に達成し得る。
【００７３】
本発明の植物栽培システムにおいては、好適には、加熱源または冷却源のために重油を用いないで、ガスまたは電力エネルギーがエネルギー供給者により供給される。
【００７４】
これにより、二酸化炭素を発生しないクリーンエネルギーとすることができる。ガスの使用は、配管に高コストを要するが、ランニングコストを低減する利点も有する。
【００７５】
さらに、植物栽培者が金融機関による融資を受ける際に、エネルギー供給者（ガス会社、電力会社）および／または農法技術の供与者が債務保証する方式とすれば、植物栽培者は、本発明の植物栽培システムを導入しやすくなる。
【００７６】
本発明の植物栽培システムによりＫＦＴ農法を導入する際には、リース方式によるハード（施設）供与も可であり、さらに割賦方式とすることにより初期投資額を軽減でき、施設の使用期間に合わせて費用繰り延べできる。
【００７７】
上記の栽培条件は、たとえば上記ウに記載されるような、ＫＦＴ農法における温度制御に関する情報を含む。さらに詳細には、温度制御を伝送する一例を挙げると、温度を夕方〜２２時は高く、その後下げて、午前３時から２℃／時程度、昇温させて、朝日による急激な温度上昇を避けて結露防止により、トマトの灰色かび病を防止する。
【００７８】
また、果樹栽培においては、樹木に休眠現象があり、必要な低温（７℃以下）遭遇時間も樹木の種類により異なる。したがって、この休眠制御には、休眠の導入、覚醒の制御等により、開花時期を制御することができる。また、果実細胞数増大のための開花後の温度管理、着色促進のための温度管理も適宜行われる。
【産業上の利用可能性】
【００７９】
本発明によれば、植物栽培の経験が少なくても植物栽培に取り組むことができ、しかも
資金面問題も解消し得る、植物栽培システムを提供し得る。
【図１】
2014168398.tif 000003
【図２】
2014168398.tif 000004
【図３】
2014168398.tif 000005
【図４】
2014168398.tif 000006
【図５】
2014168398.tif 000007